【手続補正書】
【提出日】平成21年6月15日(2009.6.15)
【手続補正１】
【補正対象書類名】特許請求の範囲
【補正対象項目名】全文
【補正方法】変更
【補正の内容】
【特許請求の範囲】
【請求項１】
目標物との間でマイクロ波照射を誘導して、該目標物のマイクロ波画像を取得するために、アンテナ素子を含むアンテナアレイを照射するためのマイクロ波イメージングシステム内の照射システムであって、前記アンテナアレイは、疎な幾何学的配列に配列され、該アンテナアレイの相補的なサブアレイパターンを形成する、前記アンテナ素子のサブアレイを含み、該照射システムは、
前記アンテナアレイに向かってマイクロ波照射を送信するように動作することができる送信機と、
前記アンテナアレイから、前記目標物から反射される反射マイクロ波照射を受信するように動作することができる受信機と、
第１のモードにおいて、前記送信機から前記アンテナアレイの前記相補的なサブアレイパターンの両方に前記マイクロ波照射を送信し、該アンテナアレイの該相補的なサブアレイパターンの両方からの前記反射マイクロ波照射を前記受信機に与えるように動作することができる照射ネットワークであって、第２のモードにおいて、前記送信機から前記アンテナアレイの前記相補的なサブアレイパターンのうちの第１のパターンに前記マイクロ波照射を送信し、前記アンテナアレイの前記相補的なサブアレイパターンのうちの第２のパターンからの前記反射マイクロ波照射を前記受信機に与えるようにさらに動作することができる、照射ネットワークと、
を備える、目標物との間でマイクロ波照射を誘導して、該目標物のマイクロ波画像を取得するために、アンテナ素子を含むアンテナアレイを照射するためのマイクロ波イメージングシステム内の照射システム。
【請求項２】
前記照射ネットワークは、前記アンテナアレイの前記相補的なサブアレイパターンを照射するための少なくとも２つのマイクロ波ホーンと、該少なくとも２つのマイクロ波ホーン毎の個々の位相板とを備え、該個々の位相板は、相補的な照射パターンを生成して、前記アンテナアレイの前記相補的なサブアレイパターンを照射するように動作することができる、請求項１に記載のマイクロ波イメージングシステム内の照射システム。
【請求項３】
前記照射ネットワークは、第１の照射光学素子と、第２の照射光学素子とを備え、前記送信機及び前記受信機は、前記第１の照射光学素子に動作可能に接続される第１のトランシーバを構成し、
前記第２の照射光学素子に動作可能に接続される第２のトランシーバをさらに備える、請求項１に記載のマイクロ波イメージングシステム内の照射システム。
【請求項４】
マイクロ波イメージングシステムであって、
複数のアンテナ素子を含むアンテナアレイであって、該アンテナ素子はそれぞれ、物体に関連する目標物との間でマイクロ波照射を誘導するための個々の方向係数をプログラミングされることができ、該アンテナアレイは、疎な幾何学的配列に配列され、該アンテナアレイの相補的なサブアレイパターンを形成する、前記アンテナ素子のサブアレイを含む、アンテナアレイと、
マイクロ波照射を与え、前記アンテナアレイの前記相補的なサブアレイパターンを照射し、該アンテナアレイの該相補的なサブアレイパターンから前記目標物によって反射される反射マイクロ波照射を受信し、第１のモードにおいて第１の受信信号を生成し、第２のモードにおいて第２の受信信号を生成するように動作することができる照射システムと、
前記物体のマイクロ波画像内の前記目標物に関連する値を、前記第１の受信信号及び前記第２の受信信号の線形結合として判定するように動作することができるプロセッサと、
を備える、マイクロ波イメージングシステム。
【請求項５】
前記照射システムは、前記アンテナアレイの前記相補的なサブアレイパターンの両方に照射し、該アンテナアレイの該相補的なサブアレイパターンの両方から前記目標物によって反射される反射マイクロ波照射を受信し、前記第１の受信信号を生成するように動作することができ、
前記照射システムは、さらに、前記アンテナアレイの前記相補的なサブアレイパターンのうちの第１のパターンを照射するように前記マイクロ波照射を与え、前記アンテナアレイの前記相補的なサブアレイパターンのうちの第２のパターンから前記反射マイクロ波照射を受信して、前記第２の受信信号を生成するように動作することができる、請求項４に記載のマイクロ波イメージングシステム。
【請求項６】
前記相補的なサブアレイパターン内の前記アンテナ素子の各々は、前記第１のモードにおいて前記目標物から前記照射システムに向かってマイクロ波照射を誘導するための個々の第１の方向係数をプログラミングされ、前記相補的なサブアレイパターンのうちの一方の前記アンテナ素子の各々は、前記第２のモードにおいて前記個々の第１の方向係数に対して反転された個々の第２の方向係数をプログラミングされる、請求項４に記載のマイクロ波イメージングシステム。
【請求項７】
前記プロセッサは、前記第１の受信信号及び前記第２の受信信号を概ね同時に受信するようにさらに動作することができ、前記照射システムは、前記反射マイクロ波照射を受信し、前記第２のモードにおいて前記第２の受信信号を生成し、且つ前記第１のモードにおいて前記第１の受信信号のうちの第１の部分を生成するように接続される第１の受信機を備え、前記照射システムは、前記反射マイクロ波照射を受信し、前記第１のモードにおいて前記第１の受信信号の第２の部分を生成するように接続される第２の受信機をさらに備え、前記プロセッサは、前記第１の受信信号の前記第１の部分、該第１の受信信号の前記第２の部分及び前記第２の受信信号のデジタル乗算及び加算を実行して、前記値を判定するようにさらに動作することができる、請求項４に記載のマイクロ波イメージングシステム。
【請求項８】
前記第１の受信信号及び前記第２の受信信号は、メイン走査ローブ及び１つ又は複数のサイドローブを記述する複素信号であり、前記プロセッサは、前記第１の受信信号と第１の複素乗数との積と、前記第２の受信信号と第２の複素乗数との積とを加算して、前記メイン走査ローブを建設的に高め、前記１つ又は複数のサイドローブを破壊的に相殺するようにさらに動作することができ、前記第１の複素乗数及び前記第２の複素乗数は前記疎な幾何学的配列の関数として選択される、請求項４に記載のマイクロ波イメージングシステム。
【請求項９】
物体のマイクロ波画像を取得するための方法であって、
前記物体に関連する目標物との間でマイクロ波照射を誘導するための複数のアンテナ素子を含むアンテナアレイを配設するステップであって、該アンテナアレイは、疎な幾何学的配列に配列され、該アンテナアレイの相補的なサブアレイパターンを形成する、前記アンテナ素子のサブアレイを含む、ステップと、
前記アンテナアレイの前記相補的なサブアレイパターンの両方を照射するステップであって、該照射によって、前記マイクロ波照射の第１の送信ビームを前記目標物に向かって誘導する、ステップと、
前記目標物によって反射される反射マイクロ波照射の第１の反射ビームを前記アンテナアレイの前記相補的なサブアレイパターンの両方から受信するステップであって、それによって、第１のモードにおいて第１の受信信号を生成する、ステップと、
前記アンテナアレイの前記相補的なサブアレイパターンのうちの第１のパターンに照射するステップであって、該照射によって、前記マイクロ波照射の第２の送信ビームを前記目標物に向かって誘導する、ステップと、
前記反射マイクロ波照射の第２の反射ビームを前記アンテナアレイの前記相補的なサブアレイパターンの第２のパターンから受信するステップであって、該受信によって、第２のモードにおいて第２の受信信号を生成する、ステップと、及び
前記目標物から反射される前記反射マイクロ波照射の強度を、前記第１の受信信号及び前記第２の受信信号の線形結合として判定するステップと、
を含む、物体のマイクロ波画像を取得するための方法。
【請求項１０】
前記第１の受信信号及び前記第２の受信信号は、メイン走査ローブ及び１つ又は複数のサイドローブを記述する複素信号であり、前記判定することは、
前記第１の受信信号と第１の複素乗数との積と、前記第２の受信信号と第２の複素乗数との積とを加算することであって、それによって、前記メイン走査ローブを建設的に高め、前記１つ又は複数のサイドローブを破壊的に相殺する、加算すること
をさらに含む、請求項９に記載の物体のマイクロ波画像を取得するための方法。